(57)【要約】【課題】  作業性をより一層向上させることが可能なバッテリーターミナル及びスペーサを提供する。【解決手段】  バッテリーターミナル本体２と、バッテリーターミナル本体２の一対の締め付け部３を貫通する屈曲ボルト４と、屈曲ボルト４のネジ部５に螺合するナット６と、締め付け部３及びナット６の間に介在するスペーサ７と、を備えてバッテリーターミナル１を構成する。バッテリーターミナル１は、スペーサ７の取り付け向きを幾つか選択することができるように構成する。すなわち、スペーサ７に正多角形部２０を形成して取り付け向きを幾つか選択することができるように構成する。【選択図】    図２
2006049163.tif 000002
【特許請求の範囲】
【請求項１】
締め付け間隙を設けて相対向する一対の締め付け部を形成したバッテリーターミナル本体と、
前記締め付け部を貫通するとともにネジ部がボルト中心軸に対して屈曲する屈曲ボルトと、
前記ネジ部に対して螺合するナットと、
前記締め付け部及び前記ナットの間に介在するとともに、前記屈曲ボルトに対するボルト挿通孔を有し、更に前記ナットを当接させるための座面を前記ネジ部の軸に対して直交する傾斜面となるように形成したスペーサと、
を備えるバッテリーターミナルであって、
前記スペーサと前記バッテリーターミナル本体のいずれか一方に正多角形部を形成するとともに、いずれか他方には前記正多角形部を引っ掛ける受け部を形成して、前記スペーサの前記締め付け部に対する取り付け向きを前記ボルト中心軸を中心にして回転方向に選択可能とする
ことを特徴とするバッテリーターミナル。
【請求項２】
請求項１に記載のバッテリーターミナルにおいて、
前記スペーサの外周面に偶数の面を有する前記正多角形部を形成するとともに、前記屈曲ボルトのボルト頭部を引っ掛けるための前記バッテリーターミナル本体のボルト回り止め部を前記受け部として共用する
ことを特徴とするバッテリーターミナル。
【請求項３】
請求項１に記載のバッテリーターミナルにおいて、
前記締め付け部に当接する前記スペーサの当接面に前記正多角形部を突出形成するとともに、前記締め付け部の前記屈曲ボルトに対する貫通孔に前記受け部を形成する
ことを特徴とするバッテリーターミナル。
【請求項４】
請求項１に記載のバッテリーターミナルにおいて、
前記締め付け部の前記屈曲ボルトに対する貫通孔周縁に前記正多角形部を突出形成するとともに、前記締め付け部に当接する前記スペーサの当接面に前記受け部を凹状に形成する
ことを特徴とするバッテリーターミナル。
【請求項５】
バッテリーターミナル本体の一対の締め付け部を貫通し且つネジ部がボルト中心軸に対して屈曲する屈曲ボルトの前記ネジ部に螺合するナットと、前記締め付け部との間に介在するとともに、前記屈曲ボルトに対するボルト挿通孔を有し、更に前記ナットを当接させるための座面を前記ネジ部の軸に対して直交する傾斜面となるように形成したスペーサであって、
前記バッテリーターミナル本体の受け部に引っ掛かる正多角形部を形成して、前記締め付け部に対する取り付け向きを前記ボルト中心軸を中心にして回転方向に選択可能とする
ことを特徴とするスペーサ。
【発明の詳細な説明】
【技術分野】
【０００１】
本発明は、バッテリーと給電用の電線との間に介在するバッテリーターミナルと、そのバッテリーターミナルに用いられるスペーサとに関する。
【背景技術】
【０００２】
バッテリーターミナル本体と、バッテリーターミナル本体の締め付け部を貫通する屈曲ボルトと、屈曲ボルトのネジ部に螺合するナットと、締め付け部及びナットの間に介在するスペーサとを備えて、斜め上方からのナット締め付けを可能にしたバッテリーターミナルとしては、本願出願人が先に提案した下記特許文献１の開示技術が知られている。
【０００３】
下記特許文献１に開示さたバッテリーターミナルの上記屈曲ボルトは、ネジ部がボルト中心軸に対して屈曲するように形成されている。また、上記スペーサは、屈曲ボルトに対するボルト挿通孔を有するとともに、ナットを当接させるための座面が屈曲ボルトのネジ部の軸に対して直交する傾斜面となるように形成されている。
【特許文献１】特開平１０−２２３２０３号公報  （第４頁、第９−１４図）
【発明の開示】
【発明が解決しようとする課題】
【０００４】
上記従来技術にあっては、斜め上方からのナット締め付けを可能にしたことから、近年のエンジンルーム内の密集状況から判断すると、バッテリーターミナル真横からのナット締め付けを行う場合よりも、締め付け工具とバッテリー周辺部品との干渉を回避し易くすることができる。従って、作業性の向上を図ることができるという効果を奏する。しかしながら、上記従来技術にあっては、車種やグレードによって上記干渉を回避することができない場合もあることから、更なる作業性の向上を図る必要がある。
【０００５】
本発明は、上述した事情に鑑みてなされたもので、作業性をより一層向上させることが可能なバッテリーターミナル及びスペーサを提供することを課題とする。
【課題を解決するための手段】
【０００６】
上記課題を解決するためになされた請求項１記載の本発明のバッテリーターミナルは、締め付け間隙を設けて相対向する一対の締め付け部を形成したバッテリーターミナル本体と、前記締め付け部を貫通するとともにネジ部がボルト中心軸に対して屈曲する屈曲ボルトと、前記ネジ部に対して螺合するナットと、前記締め付け部及び前記ナットの間に介在するとともに、前記屈曲ボルトに対するボルト挿通孔を有し、更に前記ナットを当接させるための座面を前記ネジ部の軸に対して直交する傾斜面となるように形成したスペーサと、を備えるバッテリーターミナルであって、前記スペーサと前記バッテリーターミナル本体のいずれか一方に正多角形部を形成するとともに、いずれか他方には前記正多角形部を引っ掛ける受け部を形成して、前記スペーサの前記締め付け部に対する取り付け向きを前記ボルト中心軸を中心にして回転方向に選択可能とすることを特徴としている。
【０００７】
請求項２記載の本発明のバッテリーターミナルは、請求項１に記載のバッテリーターミナルにおいて、前記スペーサの外周面に偶数の面を有する前記正多角形部を形成するとともに、前記屈曲ボルトのボルト頭部を引っ掛けるための前記バッテリーターミナル本体のボルト回り止め部を前記受け部として共用することを特徴としている。
【０００８】
請求項３記載の本発明のバッテリーターミナルは、請求項１に記載のバッテリーターミナルにおいて、前記締め付け部に当接する前記スペーサの当接面に前記正多角形部を突出形成するとともに、前記締め付け部の前記屈曲ボルトに対する貫通孔に前記受け部を形成することを特徴としている。
【０００９】
請求項４記載の本発明のバッテリーターミナルは、請求項１に記載のバッテリーターミナルにおいて、前記締め付け部の前記屈曲ボルトに対する貫通孔周縁に前記正多角形部を突出形成するとともに、前記締め付け部に当接する前記スペーサの当接面に前記受け部を凹状に形成することを特徴としている。
【００１０】
請求項５記載の本発明のスペーサは、バッテリーターミナル本体の一対の締め付け部を貫通し且つネジ部がボルト中心軸に対して屈曲する屈曲ボルトの前記ネジ部に螺合するナットと、前記締め付け部との間に介在するとともに、前記屈曲ボルトに対するボルト挿通孔を有し、更に前記ナットを当接させるための座面を前記ネジ部の軸に対して直交する傾斜面となるように形成したスペーサであって、前記バッテリーターミナル本体の受け部に引っ掛かる正多角形部を形成して、前記締め付け部に対する取り付け向きを前記ボルト中心軸を中心にして回転方向に選択可能とすることを特徴としている。
【００１１】
以上のような特徴を有する本発明によれば、スペーサの取り付け向きを幾つか選択することが可能になる。これにより、作業し易い向きにスペーサを取り付けて、その上でナットの締め付け作業を行うことができるようになる。尚、スペーサは、正多角形部と受け部との引っ掛かり合いにより、ナット締め付けの最中に屈曲ボルトを中心にして回転するようなことはない。本発明によれば、締め付け工具とバッテリー周辺部品との干渉を回避しながらナットの締め付け作業をスムーズに行うことが可能になる。
【発明の効果】
【００１２】
請求項１に記載された本発明によれば、従来よりも作業性を向上させるバッテリーターミナルを提供することができるという効果を奏する。
【００１３】
請求項２に記載された本発明によれば、スペーサの外周面を正多角形部とするとともに、バッテリーターミナル本体のボルト回り止め部を受け部として共用することにより、スペーサの取り付け向きを選択可能にすることができるという効果を奏する。
【００１４】
請求項３に記載された本発明によれば、スペーサの当接面に正多角形部を突出形成するとともに、締め付け部の屈曲ボルトに対する貫通孔に受け部を形成することにより、スペーサの取り付け向きを選択可能にすることができるという効果を奏する。
【００１５】
請求項４に記載された本発明によれば、締め付け部の屈曲ボルトに対する貫通孔周縁に正多角形部を突出形成するとともに、スペーサの当接面に凹状の受け部を形成することにより、スペーサの取り付け向きを選択可能にすることができるという効果を奏する。
【００１６】
請求項５に記載された本発明によれば、従来よりも作業性を向上させるスペーサを提供することができるという効果を奏する。
【発明を実施するための最良の形態】
【００１７】
以下、図面を参照しながら説明する。
図１は本発明のバッテリーターミナル及びスペーサの一実施の形態を示す斜視図であり、（ａ）は斜め上方からのナット締め付けを可能にした斜視図、（ｂ）は（ａ）に対してスペーサ及び屈曲ボルトを９０°回転させた状態の斜視図である。また、図２は図１のバッテリーターミナルの分解斜視図、図３は及び図４はスペーサの斜視図、図５は図１（ａ）に対してスペーサ及び屈曲ボルトを逆方向に配置した状態の分解斜視図である。
【００１８】
図１及び図２において、引用符号１は図示しないバッテリーのバッテリーポストに取り付けられる導電性の本発明のバッテリーターミナルを示している。その本発明のバッテリーターミナル１は、図示しない給電用の電線を接続してバッテリーからの給電を行えるようにするためのものであって、バッテリーターミナル本体２と、バッテリーターミナル本体２の一対の締め付け部３を貫通する屈曲ボルト４と、屈曲ボルト４のネジ部５に螺合するナット６と、締め付け部３及びナット６の間に介在するスペーサ７と、を備えて構成されている。また、本発明のバッテリーターミナル１は、スペーサ７の取り付け向きを幾つか選択することができるように構成されている。以下、各構成部材について説明する。
【００１９】
上記バッテリーターミナル本体２は、導電性を有する金属板を打ち抜いて折り曲げ加工を施すことにより製造されている。このようなバッテリーターミナル本体２には、環状部８と、一対の締め付け部３と、電線接続部９とが設けられている。環状部８は、バッテリーポストに巻着する部分であって、締め付け間隙１０を設けるためにその一部が分断された形状に形成されている。すなわち、環状部８は、平面視略Ｃ字状となる図示のような形状に形成されている。
【００２０】
一対の締め付け部３は、環状部８の上記一部分断された部分に連続するように形成されている。一対の締め付け部３は、締め付け間隙１０を挟んで相対向するように配置形成されている。一対の締め付け部３には、屈曲ボルト４が貫通するとともに、スペーサ７が取り付けられるようになっている。このような一対の締め付け部３の間隔を狭めると、環状部８が縮径するようになっている。
【００２１】
各締め付け部３は、平板状の垂直壁１１と、その垂直壁１１の上下両側部から外側に突出する一対の回り止め部１２とを有して略コ字状となる図示のような形状に形成されている。垂直壁１１は、平坦な面を有するように形成されている。このような垂直壁１１の中央には、屈曲ボルト４に対する貫通孔１３が形成されている。
【００２２】
一対の回り止め部１２は、ナット６の締め付けの際に屈曲ボルト４が回ってしまわないようにするため、屈曲ボルト４の頭部１４を引っ掛けるような形状に形成されている。本形態において、一方の締め付け部３の一対の回り止め部１２は、特許請求の範囲に記載した受け部に相当するものとする。尚、屈曲ボルト４の回り止めとして機能する方には１２ａを、受け部として機能する方には１２ｂを付して区別する。
【００２３】
電線接続部９は、他方の締め付け部３（回り止め部１２（１２ａ）側の締め付け部３）に連続するように形成されている。電線接続部９は、上記給電用の電線を接続する部分であって、一対の導体加締め片１５を有している。電線接続部９は、屈曲ボルト４の頭部１４に対して干渉しないように形成されている。
【００２４】
上記屈曲ボルト４は、正方形状の断面を有する頭部１４と、その頭部１４の中央から突出する円柱状の中心軸部１６と、中心軸部１６に連続するネジ部５とを有しており、ネジ部５が中心軸部１６に対して（言い換えればボルト中心軸に対して）屈曲するような図示の形状に形成されている。頭部１４は、その一面幅Ｗ１が全て等しくなるように形成されている。また、頭部１４は、一面幅Ｗ１が締め付け部３の一対の回り止め部１２（１２ａ）の間隔に合うようにその寸法が設定されている。ネジ部５は、特に限定するものではないが、本形態において、例えば３０°屈曲するように形成されている。屈曲ボルト４は、頭部１４が本形態において正方形状の断面を有することから、９０°毎に回転させるとネジ部５の向きが変わるようになっている。
【００２５】
図１ないし図４において、上記スペーサ７は、ブロック状の部材であって、屈曲ボルト４の中心軸部１６及びネジ部５を挿通するためのボルト挿通孔１７を有している。また、スペーサ７は、締め付け部３の垂直壁１１に当接する当接面１８と、ナット６を当接させるための座面１９とを有している。当接面１８は、平坦な面であって、正方形状に形成されている。当接面１８は、正方形状であることから一面幅Ｗ２が全て等しくなるように形成されている。また、当接面１８は、一面幅Ｗ２が締め付け部３の一対の回り止め部１２（１２ｂ）の間隔に合うようにその寸法が設定されている。
【００２６】
このような当接面１８が存在する部分は、特許請求の範囲に記載した正多角形部に相当しており、以下の説明においては符号２０を付すことにする。正多角形部２０は、図からも分かるように、屈曲ボルト４の頭部１４と似た形状になっており、屈曲ボルト４と同様、９０°毎に回転させると座面１９の向きが変わるようになっている。
【００２７】
座面１９は、ネジ部５の軸に対して直交する傾斜面となるように形成されている。また、座面１９は、平坦な面であって、長方形状に形成されている。このような座面１９が存在する部分は、下方に向けて次第に当接面１８からの厚みが増すように形成されている（図１（ａ）と、図２ないし図４参照）。
【００２８】
ボルト挿通孔１７は、当接面１８側の開口部２１が円形状となるように形成されている。また、ボルト挿通孔１７は、座面１９側の開口部２２が長円形状となるように形成されている。屈曲ボルト４は、ボルト挿通孔１７に挿通されると、ネジ部５の先端側が座面１９側の開口部２２から突出するようにその長さが設定されている。
【００２９】
上記構成において、本発明のバッテリーターミナル１の組み付けは、先ず、電線接続部９に電線を接続したバッテリーターミナル本体２の締め付け部３に屈曲ボルト４を挿通し、次いで、スペーサ７を屈曲ボルト４に差し込むような状態で取り付け、最後に、ナット６を屈曲ボルト４のネジ部５に螺合させることにより完了する。そして、バッテリーターミナル本体２の環状部８をバッテリーポストに差し込み、その上でナット６をスペーサ７の座面１９上で締め付け始めると、締め付け力が屈曲ボルト４の上記ボルト中心軸方向に作用して一対の締め付け部３同士が近接する方向に移動する。これにより、環状部８の直径が縮径し、本発明のバッテリーターミナル１のバッテリーポストに対する接続が完了する。
【００３０】
本発明のバッテリーターミナル１によれば、スペーサ７は正多角形部２０を有することから、その正多角形部２０によってスペーサ７をナット６の締め付け作業がし易い向きとなるように取り付け向きを選択することができる。本形態の正多角形部２０の場合にあっては、図１（ａ）に示されるように斜め上方からのナット６の締め付けを可能にした向きや、図１（ｂ）に示されるようにスペーサ７及び屈曲ボルト４を図１（ａ）に対して９０°回転させた向き、更には、図示しないが図１（ａ）に対して１８０°回転させた向き、２７０°回転させた向きの四つを選択することができる。
【００３１】
尚、本形態のスペーサ７の正多角形部２０は、当接面１８が正方形状であることからスペーサ７の外周面の面数が四つになっている。しかしながら、これに替えて六つや八つの面を有する正多角形部を形成してもよいものとする。この場合、取り付け向きをより一層多く選択できる。
【００３２】
本発明のバッテリーターミナル１は、スペーサ７の取り付け向きを幾つか選択（上記ボルト中心軸を中心にして回転方向に幾つか選択）することができる。これにより、従来のバッテリーターミナルよりも作業性を向上させることができる。
【００３３】
図５は図１（ａ）に対してスペーサ７及び屈曲ボルト４を逆方向に配置した状態の分解斜視図である。図５に示されるように、スペーサ７を電線接続部９がある締め付け部３に取り付けることも可能である。また、上述と同様、スペーサ７の取り付け向きを幾つか選択することができる。
【００３４】
次に、図６を参照しながら正多角形部の他の例を説明する。図６（ａ）は他の例となる正多角形部を有するスペーサの斜視図、（ｂ）は（ａ）の正多角形部に対応する受け部の斜視図である。
【００３５】
図６（ａ）において、スペーサ７′の当接面１８′には、正多角形部２０′が突出するように形成されている。その正多角形部２０′は、正六角形状であってボルト挿通孔１７′の周縁に形成されている。一方、図６（ｂ）に示されるように、締め付け部３′の貫通孔１３′には、正六角形状の受け部１２ｂ′が形成されている。このような正多角形部２０′及び受け部１２ｂ′であっても上述同様の効果を奏することができる（正六角形状に限らず、正三角形状や正五角形状、正六角形状、正七角形状…も可能であるものとする）。また、特に図示しないが、締め付け部の貫通孔周縁に正多角形部を突出形成するとともに、スペーサの当接面に受け部を凹状に形成することでも上述同様の効果を奏することができる。
【００３６】
続いて、図７及び図８を参照しながらバッテリーターミナル本体の他の例を説明する。図７はバッテリーターミナル本体の他の例を示す分解斜視図、図８は図７のバッテリーターミナル本体にスペーサ、屈曲ボルト、及びナットを組み付けてなるバッテリーターミナルの斜視図である。尚、スペーサ、屈曲ボルト、及びナットは図１と同じものを用いているものとする。
【００３７】
図７及び図８において、他の例となる本発明のバッテリーターミナル３１は、バッテリーターミナル本体３２と、バッテリーターミナル本体３２の一対の締め付け部３３を貫通する屈曲ボルト４と、屈曲ボルト４のネジ部５に螺合するナット６と、締め付け部３３及びナット６の間に介在するスペーサ７と、を備えて構成されている。また、他の例となる本発明のバッテリーターミナル３１は、上述のバッテリーターミナル１と同様、スペーサ７の取り付け向きを幾つか選択することができるように構成されている。
【００３８】
上記バッテリーターミナル本体３２は、導電性を有する金属板を打ち抜いて折り曲げ加工を施すことにより製造されている。このようなバッテリーターミナル本体３２には、環状部３４と、一対の締め付け部３３と、電線接続部３５とが設けられている。環状部３４は、バッテリーポストに巻着する部分であって、締め付け間隙３６を設けるためにその一部が分断された形状に形成されている。
【００３９】
一対の締め付け部３３は、環状部３４の上記一部分断された部分に連続するように形成されている。一対の締め付け部３３は、締め付け間隙３６を挟んで相対向するように配置形成されている。一対の締め付け部３３には、屈曲ボルト４が貫通するとともに、スペーサ７が取り付けられるようになっている。このような一対の締め付け部３３の間隔を狭めると、環状部３４のバッテリーポスト挿入穴３７が縮径するようになっている。
【００４０】
一対の締め付け部３３は、帯状の板部分をＵ字状に曲げることにより形成されている。各締め付け部３３の内側には、屈曲ボルト４に対する貫通孔３８が形成されている。引用符号３９は屈曲ボルト４の頭部１４を引っ掛けるための回り止め部を示している。また、引用符号４０はスペーサ７の正多角形部２０に対する受け部を示している。
【００４１】
電線接続部３５は、環状部３４に連成されている。また、電線接続部３５は、一対の締め付け部３３の反対側となるように配置形成されている。電線接続部３５は、給電用の電線を接続する部分であって、電線端末の端子を挿通する端子固定ボルト４１と、端子固定ボルト４１に螺合する図示しないナットとを有している。
【００４２】
上記構成において、他の例となる本発明のバッテリーターミナル３１の組み付けは、先ず、バッテリーターミナル本体３２の締め付け部３３に屈曲ボルト４を挿通し、次いで、スペーサ７を屈曲ボルト４に差し込むような状態で取り付け（スペーサ７は正多角形部２０を有することから、ナット６の締め付け作業がし易い向きに取り付ける）、最後に、ナット６を屈曲ボルト４のネジ部５に螺合させることにより完了する。
【００４３】
そして、バッテリーポスト挿入穴３７を介してバッテリーターミナル本体３２の環状部３４をバッテリーポストに差し込み、その上でナット６をスペーサ７の座面１９上で締め付け始めると、締め付け力が屈曲ボルト４の上記ボルト中心軸方向に作用して一対の締め付け部３３同士が近接する方向に移動する。これにより、環状部３４のバッテリーポスト挿入穴３７の直径が縮径し、バッテリーポストに対する接続が完了する。
【００４４】
以上、バッテリーターミナル本体が異なる例を説明したが、バッテリーターミナル本体は、上述の二つの形態に限定されるものではないものとする。
【００４５】
その他、本発明は本発明の主旨を変えない範囲で種々変更実施可能なことは勿論である。
【図面の簡単な説明】
【００４６】
【図１】本発明のバッテリーターミナル及びスペーサの一実施の形態を示す斜視図であり、（ａ）は斜め上方からのナット締め付けを可能にした斜視図、（ｂ）は（ａ）に対してスペーサ及び屈曲ボルトを９０°回転させた状態の斜視図である。
【図２】図１のバッテリーターミナルの分解斜視図である。
【図３】図１のスペーサの当接面側から見た斜視図である。
【図４】図１のスペーサの座面側から見た斜視図である。
【図５】図１（ａ）に対してスペーサ及び屈曲ボルトを逆方向に配置した状態の分解斜視図である。
【図６】（ａ）は他の例となる正多角形部を有するスペーサの斜視図、（ｂ）は（ａ）の正多角形部に対応する受け部の斜視図である。
【図７】バッテリーターミナル本体の他の例を示す分解斜視図である。
【図８】図７のバッテリーターミナル本体にスペーサ、屈曲ボルト、及びナットを組み付けてなるバッテリーターミナルの斜視図である。
【符号の説明】
【００４７】
１  バッテリーターミナル
２  バッテリーターミナル本体
３  締め付け部
４  屈曲ボルト
５  ネジ部
６  ナット
７  スペーサ
８  環状部
９  電線接続部
１０  締め付け間隙
１１  垂直壁
１２  回り止め部（ボルト回り止め部）
１２ａ  回り止め部
１２ｂ  受け部として機能する回り止め部
１３  貫通孔
１４  頭部
１５  導体加締め片
１６  中心軸部
１７  ボルト挿通孔
１８  当接面
１９  座面
２０  正多角形部
２１、２２  開口部
Ｗ１、Ｗ２  一面幅
【図１】
2006049163.tif 000003
【図２】
2006049163.tif 000004
【図３】
2006049163.tif 000005
【図４】
2006049163.tif 000006
【図５】
2006049163.tif 000007
【図６】
2006049163.tif 000008
【図７】
2006049163.tif 000009
【図８】
2006049163.tif 000010